(57)【要約】【課題】机等を構成するにあたっての自由度が高い構造部材を得る。【解決手段】２本の脚柱１ａ，１ａと、前記脚柱間に架設する横架ビーム１ｂとを備え、横架ビーム１ｂの上下部に、天板等を支持するための上部水平溝６ａ及び下部水平溝６ｂを形成し、鉤状係合片５ａを有する天板等を支持する受けブロック２ａと、鉤状係合片５ｂを有し、受けブロック２ａと連結される固定ブロック２ｂとを備え、上部水平溝６ａに鉤状係合片５ａを係合させると共に、下部水平溝６ｂに鉤状係合片５ｂを係合させ、横架ビーム１ｂにより受けブロック２ａ及び固定ブロック２ｂを横架ビーム１ｂのＡ方向に移動可能に支持すると共に、受けブロック２ａ及び固定ブロック２ｂの位置決め手段を横架ビーム１ｂに設けた。【選択図】        図１
2004261310.tif 000002
【特許請求の範囲】
【請求項１】
少なくとも２本の、脚柱又は間仕切パネルの支柱と、
前記脚柱間又は支柱間に架設する少なくとも１本の横架ビームとを備え、
前記横架ビームの両側面の少なくともどちらかの上下部に、天板、棚又はオプション類等を支持するための上部水平溝及び下部水平溝を形成してなる構造部材。
【請求項２】
横架ビームの上部水平溝及び下部水平溝により支持される天板、棚又はオプション類等と該横架ビームとの該横架ビームの長手方向の位置決め手段を、該横架ビームに設けてなる請求項１記載の構造部材。
【請求項３】
鉤状係合片を有する、天板、棚又はオプション類等を支持する受けブロックと、
鉤状係合片を有し、前記受けブロックと連結される固定ブロックとを備え、
横架ビームの上部水平溝に前記受けブロックの鉤状係合片を係合させると共に、横架ビームの下部水平溝に前記固定ブロックの鉤状係合片を係合させ、
前記横架ビームにより前記受けブロック及び固定ブロックを該横架ビームの長手方向に移動可能に支持してなる請求項１記載の構造部材。
【請求項４】
受けブロック及び固定ブロックと横架ビームとの該横架ビームの長手方向の位置決め手段を、該横架ビームに設けてなる請求項３記載の構造部材。
【請求項５】
横架ビームの上部水平溝の下部に下向き溝を、横架ビームの下部水平溝の上部に上向き溝を設け、受けブロック及び固定ブロックを横架ビームの長手方向に位置決めする位置決めプレートを、前記下向き溝及び上向き溝間に配設してなる請求項３記載の構造部材。
【発明の詳細な説明】
【０００１】
【発明の属する技術分野】
本発明は、構造部材に関わり、更に詳しくは、机又はパネルシステム等を構成するにあたっての自由度が高い構造部材に関するものである。
【０００２】
【従来の技術】
従来の机又はパネルシステム等を構成する構造部材としては、例えば机用の構造部材として、天板仕様やオプション部材の種類等の如何によらず、共通の枠体を利用して、それらの天板やオプション部材を好適に取り付けることができるようにすることを目的とし、天板を支持する枠体が、複数の枠材（例えば側枠材、後枠材及び補強枠材）から構成されるものにおいて、これらの枠材に、長手方向に沿って連続的に取付部であるレール溝を形成し、これらのレール溝の長手方向所要箇所を選択して、天板及びオプション部材を取り付けるための部材取付具を保持させ得るように構成したもの（特許文献１参照）、天板の形状が変わっても、天板を安定よく支持できるよう、共通する同じ支脚を有効に取付け可能とすることを目的とし、天板を載置して取付ける框状の各支持枠体の連結角部からパイプ状の支脚をそれぞれ垂設して構成するテ−ブルにおいて、取付金具により天板の下面に固定できる両支持枠体の接近側端部には、ねじによりテ−ブル下面に固定できる両コ−ナジョイントの一端側に形成した嵌合部をそれぞれ嵌合し、両コ−ナジョイントの他端側には、上下に重合できる高さの低い輪状体をそれぞれ一体的に形成し、各支脚の上部に挿着するジョイント軸の上部を、上方の前記輪状体に螺挿するとともに、下方の前記輪状体に嵌挿して取付け可能に構成したもの（例えば、特許文献２参照）等がある。
【０００３】
【特許文献１】
特開２０００−１２４号公報（第２−４頁、図１−８）
【特許文献２】
特開平７−１１００１９号公報（第２頁、図１−７）
【０００４】
【発明が解決しようとする課題】
以上のような従来の構造部材において、特許文献１の構成は、複数の枠材から構成される枠体を変更することなく、天板を支持する枠体全体を共通使用するものであり、机を構成するにあたっての自由度が低いという問題点があった。また、枠体を構成する枠材と、枠材のレール溝に取り付けられた天板等を支持する部材取付具との位置決めを容易に行うことができないという問題点があった。
【０００５】
特許文献２の構成は、４本の框状の支持枠体を基本構成とし、天板の形状に合わせて前記支持枠体の長さを変更し、支脚のみを共通化するものであり、天板の形状によらず、共通の枠体を使用することができないという問題点があった。また、机を構成するにあたっての天板支持位置及び脚位置の変更等の自由度が低いという問題点があった。
【０００６】
本発明は、前記のような問題点を解決するためになされたものであり、机又はパネルシステム等を構成するにあたっての自由度が高い構造部材を得ることを目的とする。また、天板、棚又はオプション類等の支持部材の取付け位置が可変であると共に位置決めが容易な構造部材を得ることを目的とする。
【０００７】
【課題を解決するための手段】
本発明に係る構造部材は、少なくとも２本の、脚柱又は間仕切パネルの支柱と、前記脚柱間又は支柱間に架設する少なくとも１本の横架ビームとを備え、前記横架ビームの両側面の少なくともどちらかの上下部に、天板、棚又はオプション類等を支持するための上部水平溝及び下部水平溝を形成してなるものである。
【０００８】
ここで、横架ビームの上部水平溝及び下部水平溝により支持される天板、棚又はオプション類等と該横架ビームとの該横架ビームの長手方向の位置決め手段を、該横架ビームに設けると好ましい。
【０００９】
また、鉤状係合片を有する、天板、棚又はオプション類等を支持する受けブロックと、鉤状係合片を有し、前記受けブロックと連結される固定ブロックとを備え、横架ビームの上部水平溝に前記受けブロックの鉤状係合片を係合させると共に、横架ビームの下部水平溝に前記固定ブロックの鉤状係合片を係合させ、前記横架ビームにより前記受けブロック及び固定ブロックを該横架ビームの長手方向に移動可能に支持すると好ましい。
【００１０】
さらに、受けブロック及び固定ブロックと横架ビームとの該横架ビームの長手方向の位置決め手段を、該横架ビームに設けるとさらに好ましい。
【００１１】
さらにまた、横架ビームの上部水平溝の下部に下向き溝を、横架ビームの下部水平溝の上部に上向き溝を設け、受けブロック及び固定ブロックを横架ビームの長手方向に位置決めする位置決めプレートを、前記下向き溝及び上向き溝間に配設するとさらに好ましい。
【００１２】
【発明の実施の形態】
次に本発明の実施の形態を添付図面に基づき詳細に説明する。図１は、本発明の実施の形態に係る構造部材の構成例を示す説明図であり、図１（ａ）は正面図、図１（ｂ）は右側面図である。図１において、１は脚柱１ａ，１ａとこれら脚柱間に架設した横架ビーム１ｂとからなる脚体、２は天板支持部材、３は天板支持部材２を横架ビーム１ｂに対して横架ビーム１ｂの長手方向（図１中の矢印Ａ方向）に位置決めする位置決めプレート、３ａ，・・・は位置決めプレート３に形成された位置決め手段である複数の抜き穴である。
【００１３】
脚体１は、脚柱１ａ，１ａ間に横架ビーム１ｂを架設して図示しないネジ等の固定手段により連結されて形成されるが、図１のように脚柱１ａ，１ａ間の上部に１本の横架ビーム１ｂを架設する形態の他、脚柱１ａ，１ａ間の適宜位置に複数の横架ビーム１ｂ，・・・を架設してもよい。さらに、脚体１は、このように２本の脚柱１ａ，１ａ間に横架ビーム１ｂを架設して形成する他、２本の間仕切パネルの支柱間に横架ビーム１ｂを架設して形成してもよい。
【００１４】
図２及び図３は、本発明の構造部材により構成された机の構成例を示す斜視図及び平面図であり、図１と同一符号は同一又は相当部分を示している。図２及び図３において、４は脚体１同士を連結及び大型天板の強度を保持するための連結ビーム、１０１は天板、１０２は机上パネル、１０３はダクトカバーである。脚体１，１は共通使用可能であり、例えば同一形状に形成されている。
【００１５】
図４は脚体１の横架ビーム１ｂと天板支持部材２との取り付け方法の例を示す断面図であり、図において、２ａは天板を支持する受けブロック、２ｂは固定ブロック、３は位置決めプレート、３ａは抜き穴、５ａは受けブロック２ａの鉤状係合片、５ｂは固定ブロック２ｂの鉤状係合片、６ａは横架ビーム１ｂの上部水平溝、６ｂは横架ビーム１ｂの下部水平溝、７ａは横架ビーム１ｂの上部水平溝６ａの下部に形成された下向き溝、７ｂは横架ビーム１ｂの下部水平溝６ｂの上部に形成された上向き溝、８は受けブロック２ａと固定ブロック２ｂを固定するボルトである。
【００１６】
図４に示すように、天板支持部材２は受けブロック２ａ及び固定ブロック２ｂにより構成されており、受けブロック２ａの鉤状係合片５ａは横架ビーム１ｂの上部水平溝６ａと係合し、固定ブロック２ｂの鉤状係合片５ｂは横架ビーム１ｂの下部水平溝６ｂと係合する。受けブロック２ａ及び固定ブロック２ｂはボルト８により固定され、天板支持部材２は脚体１の横架ビーム１ｂに取り付けられる。図４では、ボルト８を受けブロック２ａ側から挿入して、受けブロック２ａ及び固定ブロック２ｂを固定する場合を示しているが、ボルト８を固定ブロック２ｂ側から挿入して前記固定を行う構造を採用することもできる。このようにして、天板支持部材２は、横架ビーム１ｂの長手方向（図１中の矢印Ａ方向）に移動可能なように、横架ビーム１ｂにより支持される。したがって、本発明の構造部材により構成された図２及び図３のような机において、天板１０１と脚体１との相対位置を横架ビーム１ｂの長手方向（図１中の矢印Ａ方向）に簡単に変更することができる。このような構成により、図２及び図３のような机上パネル１０２の立設、並びに、ＬＡＮ等の通信ケーブル、電源等の配線、配線用ダクト及びコンセントの配設等を、天板１０１を脚体１に対して横架ビーム１ｂの長手方向に移動させることにより容易に行うことができる。
【００１７】
また、前記のような受けブロック２ａ及び固定ブロック２ｂによる天板支持部材２の構成により、脚柱１ａ，１ａ間に横架ビーム１ｂを架設して脚体１が形成された後においても、天板支持部材２の横架ビーム１ｂへの取り付け又は取り外しを自由に行うことができる。さらに、図４の横架ビーム１ｂの断面形状からわかるように、天板支持部材２は横架ビーム１ｂの長手方向の両側面、すなわち脚体１の両側に取り付けることができる。ただし、横架ビーム１ｂは、図４の断面形状のように、その両側面に上部水平溝６ａ及び下部水平溝６ｂを形成する構成に限定されず、側面のいずれか一方のみに上部水平溝６ａ及び下部水平溝６ｂを形成して、天板支持部材２を取り付けてもよい。また、図４の横架ビーム１ｂの断面形状からわかるように、横架ビーム１ｂの上下面が上部水平溝６ａ及び下部水平溝６ｂの上下部を覆っており、上部水平溝６ａ及び下部水平溝６ｂの全体が露出しないため、美観を向上できる構造となっている。
【００１８】
また、脚柱１ａ，１ａ間又は２本の間仕切パネルの支柱間の適宜位置に架設された横架ビーム１ｂには、横架ビーム１ｂの上部水平溝６ａ及び下部水平溝６ｂに、鉤状係合片を有する受けブロック２ａ及び固定ブロック２ｂにより構成される天板支持部材２のみならず、棚又は机上パネル、電話台、載置台及びダストボックス等のオプション類等を支持するための、鉤状係合片を有する受けブロック及び固定ブロックにより構成される支持部材２を係合させることもできる。
【００１９】
図４において、位置決めプレート３は、横架ビーム１ｂに形成された下向き溝７ａと上向き溝７ｂ間に配設される。位置決めプレート３は、脚体１を形成する前に横架ビーム１ｂに予め取り付けておくか、あるいは、位置決めプレート３を可撓性のある材料で形成した場合は脚体１の形成後においても取り付けることができる。また、図４からわかるように、位置決めプレート３は前記の天板支持部材２の横架ビーム１ｂの長手方向への移動と干渉しない構成となっている。
【００２０】
位置決めプレート３には抜き穴３ａ，・・・が明けられているため、天板支持部材２を横架ビーム１ｂに対して横架ビーム１ｂの長手方向（図１中の矢印Ａ方向）に位置決めすることができる。したがって、組立又はレイアウト変更等における作業性を向上することができる。なお、位置決めプレート３には、抜き穴３ａ，・・・以外にも、切り欠き、線条、突出部等の他の位置決め手段を形成することができる。さらに、横架ビーム１ｂに形成された下向き溝７ａと上向き溝７ｂ間には、意匠性を考慮して飾り板を配設することもでき、このような飾り板に天板支持部材２を横架ビーム１ｂの長手方向に位置決めする機能を付加してもよい。例えば、飾り板に、塗装、メッキ及び樹脂顔料等による色の変更、金属、樹脂、木、紙及び布等による材料の変更、並びに、抜き穴、段差、彫刻及び木目加工等による模様の変更等を適宜行い、意匠性及び位置決め機能の付与を両立させることができる。
【００２１】
また、横架ビーム１ｂの上部水平溝６ａ及び下部水平溝６ｂに、棚又は机上パネル、電話台、載置台及びダストボックス等のオプション類等を支持するための支持部材を係合させた場合は、該支持部材と横架ビーム１ｂとの該横架ビーム１ｂの長手方向の位置決めを位置決めプレート３により行うことができる。
【００２２】
図５は、受けブロック２ａの例を示す斜視図であり、９ａは連結ビーム支持部である。連結ビーム４は、その端部を受けブロック２ａの連結ビーム支持部９ａに外嵌した後に螺着される。図５の構造の受けブロック２ａを使用した場合は、受けブロック２ａの連結ビーム支持部９ａに連結ビーム４との嵌合部が形成されており、この嵌合部がモーメントを受け持つため、嵌合部がない場合と比較して、脚体２同士の連結ビーム４による連結強度及び剛性が向上する。
【００２３】
また、図６は、受けブロック２ａの別の例を示す斜視図であり、９ｂは連結ビーム支持部である。連結ビーム４は、その端部を連結ビーム支持部９ｂに載置した後に螺着される。図６の構造の受けブロック２ａを使用した場合は、この受けブロック２ａの連結ビーム支持部９ｂにより、連結ビーム４の端部以外も支持できるため、天板支持部材２により連結ビーム４を該連結ビーム４の長手方向に移動可能に支持することができ、本発明の構造部材により構成された図２及び図３のような机において、天板１０１と脚体１との相対位置を連結ビーム４の長手方向（図３中の矢印Ｂ方向）に簡単に変更することができる。
【００２４】
図５及び図６のような受けブロック２ａを使用して天板支持部材２を構成することにより、本発明の構造部材により構成された図２及び図３のような机において、天板１０１の支持及び連結ビーム４の支持を同一の天板支持部材２で行うことができるため、構成部品点数を削減することができ、本発明の構造部材により構成される机をより簡素なものとすることができる。
【００２５】
図７は、本発明の構造部材により構成された連結机の構成例を示す平面図である。図７の例では、天板支持部材２の受けブロック２ａとして、連結ビーム支持部９ｂに連結ビーム４を載置して固定する、図６の構成の受けブロック２ａを使用しており、右側の脚体１，１を、図中矢印Ｃのように連結ビーム４，４及び天板１０１，１０１に対してスライドさせて配置することにより、図中Ｄ方向からのアクセスに対して右側の脚体１，１の支脚１ａ，・・・が邪魔にならないようにすることができる。
【００２６】
図７の構成において、図中Ｅ及びＦでは、脚体１，１の脚柱１ａ，１ａを当接している。図８は、このような場合における脚体１，１の脚柱１ａ，１ａ同士の連結方法の例を示す説明図であり、１０ａ、１０ｂは連結部材、１０ｃは連結部材１０ａ及び１０ｂを固定するボルト、１１，１１は脚柱１ａの連結部材係合部である。脚柱１ａ，１ａを当接し、連結部材１０ａ及び１０ｂを脚柱１ａ，１ａの連結部材係合部１１，１１にそれぞれ挿入して、ボルト１０ｃにより螺着することにより、脚柱１ａ，１ａ同士を簡単に連結して固定することができ、並設した机全体の強度及び剛性を向上することができる。
【００２７】
図９は、本発明の構造部材により構成された机の構成例を示す平面図であり、図３の机の構成において連結ビーム４，・・・を使用しない構成を示している。このように、連結ビーム４を使用しない場合は、天板１０１の適宜位置に設けた埋め込みナット等に、天板支持部材２をボルト等により取り付ける。要求仕様によっては、このような連結ビーム４，・・・を使用しない構成を採用することができ、このような構成によれば、本発明の構造部材により構成された机の構成をさらに簡素なものとすることができる。
【００２８】
図１０は、本発明の構造部材により構成された机の構成例を示す平面図であり、１２は図４の横架ビーム１ｂと同様の断面形状を持つ後面ビーム、１３は後面ビーム支持部材である。また、図１１は、後面ビーム支持部材１３の例を示す斜視図であり、１３ａは後面ビーム支持ブロック、１３ｂ，１３ｂは固定ブロック、１４ａ，１４ａは後面ビーム支持ブロック１３ａの鉤状係合片、１４ｂ，１４ｂは固定ブロック１３ｂの鉤状係合片、１５，１５はボルトである。
【００２９】
後面ビーム支持部材１３は、後面ビーム支持ブロック１３ａ及び固定ブロック１３ｂ，１３ｂにより構成されており、後面ビーム支持ブロック１３ａの一方の鉤状係合片１４ａは横架ビーム１ｂの上部水平溝６ａ（図４参照）と係合し、後面ビーム支持ブロック１３ａの他方の鉤状係合片１４ａは後面ビーム１２の図示しない上部水平溝と係合する。また、一方の固定ブロック１３ｂの鉤状係合片１４ｂは横架ビーム１ｂの下部水平溝６ｂ（図４参照）と係合し、他方の固定ブロック１３ｂの鉤状係合片１４ｂは後面ビーム１２の図示しない下部水平溝と係合する。さらに、後面ビーム支持ブロック１３ａ及び固定ブロック１３ｂ，１３ｂはボルト１５，１５により固定される。
【００３０】
図１０のように、後面ビーム支持部材１３により図４の横架ビーム１ｂと同様の断面形状を持つ後面ビーム１２を横架ビーム１ｂ，１ｂに取り付けた場合は、該後面ビーム１２の上部水平溝及び下部水平溝に、机上パネル、電話台、載置台及びダストボックス等のオプション類等を支持するための、鉤状係合片を有する受けブロック及び固定ブロックにより構成される支持部材を係合させることができ、さらに、これらと後面ビーム１２との該後面ビーム１２の長手方向の位置決めを、後面ビーム１２の図示しない位置決め手段（例えば、図１及び図４の位置決めプレート３と同様のもの）により行うことができる。
【００３１】
図１２は、本発明の構造部材により構成されたパネルシステムの構成例を示す斜視図であり、図において、１６は間仕切パネル、１６ａ、１６ａは支柱、１６ｂは横枠、１０４は棚、１０５は脚である。間仕切パネル１６の支柱１６ａ，１６ａ間の上部に架設した横架ビーム１ｂに取り付けられた支持部材２により棚１０４を支持し、間仕切パネル１６の支柱１６ａ，１６ａ間の中部に架設した横架ビーム１ｂに取り付けられた支持部材２により天板１０１を支持している。このように、横架ビーム１ｂは、間仕切パネル１６の支柱１６ａ，１６ａ間の適宜位置に架設することができ、該横架ビーム１ｂに取り付けた支持部材２により、天板１０１、棚１０４の他、電話台、載置台及びダストボックス等を適宜支持することができるため、簡素な構成でパネルシステムの構成の自由度を向上することができる。
【００３２】
図１３は、本発明の構造部材により構成された連結机の構成例を示す平面図であり、前後に配設した天板を左右に並設して構成した対面フリーアドレス型レイアウトを示している。
【００３３】
図１３においては、天板１０１，・・・４枚に対して、同一形状の脚体１，・・・５個を使用しており、連結机の左右端に脚体１，１を配設すると共に、連結机の中央部の前後左右の天板１，・・・の連結部に１個の脚体１を配設し、該１個の脚体１の横架ビーム１ｂの左右に２個ずつ配設した４個の天板支持部材１，・・・各々により前記前後左右の４枚の天板１０１，・・・を支持している。このように、前後左右の天板１０１，・・・の連結部に配設した１個の脚体１により天板１０１，・・・４枚を支持すると共に、共通の脚体１，・・・を使用することにより、簡素な構成で、前後に配設した天板を左右に並設して構成した対面フリーアドレス型レイアウトを実現することができる。また、左右に並設する机の数を増やした場合においても、連結机の前後左右の天板１０１，・・・の連結部に１個の脚体１を配設する同様の構成を採用することができる。
【００３４】
以上における、本発明の構造部材により天板を支持して構成する机等においては、天板支持部材２により天板１０１を直接支持する場合を説明したが、天板１０１と天板支持部材２間にガイドレールを介在させる等、天板支持部材２により天板１０１を間接支持する構成を採用してもよい。
【００３５】
なお、本明細書における「机」には、いわゆるテーブルの概念も含むものである。
【００３６】
【発明の効果】
この発明に係る構造部材は、以上説明したように構成されているので、以下に示すような効果を奏する。
【００３７】
請求項１に係る発明によれば、少なくとも２本の、脚柱又は間仕切パネルの支柱と、前記脚柱間又は支柱間に架設する少なくとも１本の横架ビームとを備え、前記横架ビームの両側面の少なくともどちらかの上下部に、天板、棚又はオプション類等を支持するための上部水平溝及び下部水平溝を形成したので、机を構成するにあたっての自由度が高い構造部材を簡素な構成により実現することができる。また、天板、棚又はオプション類等の支持部材の取付け位置を可変にすることができる。
【００３８】
また、請求項２に係る発明によれば、請求項１の構成に加え、横架ビームの上部水平溝及び下部水平溝により支持される天板、棚又はオプション類等と該横架ビームとの該横架ビームの長手方向の位置決め手段を、該横架ビームに設けたので、天板、棚又はオプション類等の位置決めを容易に行うことができる。
【００３９】
さらに、請求項３に係る発明によれば、請求項１の構成に加え、鉤状係合片を有する、天板、棚又はオプション類等を支持する受けブロックと、鉤状係合片を有し、前記受けブロックと連結される固定ブロックとを備え、横架ビームの上部水平溝に前記受けブロックの鉤状係合片を係合させると共に、横架ビームの下部水平溝に前記固定ブロックの鉤状係合片を係合させ、前記横架ビームにより前記受けブロック及び固定ブロックを該横架ビームの長手方向に移動可能に支持したので、受けブロック及び固定ブロックの取り付け及び取り外し並びに取り付け位置の変更を容易に行うことができる。
【００４０】
さらにまた、請求項４に係る発明によれば、請求項３の構成に加え、受けブロック及び固定ブロックと横架ビームとの該横架ビームの長手方向の位置決め手段を、該横架ビームに設けたので、天板、棚又はオプション類等の位置決めを容易に行うことができる。
【００４１】
また、請求項５に係る発明によれば、請求項３の構成に加え、横架ビームの上部水平溝の下部に下向き溝を、横架ビームの下部水平溝の上部に上向き溝を設け、受けブロック及び固定ブロックを横架ビームの長手方向に位置決めする位置決めプレートを、前記下向き溝及び上向き溝間に配設したので、天板、棚又はオプション類等の位置決めを容易に行うことができる。
【図面の簡単な説明】
【図１】本発明の実施の形態に係る構造部材の構成例を示す説明図である。
【図２】本発明の構造部材により構成された机の構成例を示す斜視図である。
【図３】本発明の構造部材により構成された机の構成例を示す平面図である。
【図４】横架ビームと天板支持部材との取り付け方法の例を示す断面図である。
【図５】受けブロックの例を示す斜視図である。
【図６】受けブロックの別の例を示す斜視図である。
【図７】本発明の構造部材により構成された連結机の構成例を示す平面図図である。
【図８】脚体の脚柱同士を連結する方法の例を示す説明図である。
【図９】本発明の構造部材により構成された机の構成例を示す平面図である。
【図１０】本発明の構造部材により構成された机の構成例を示す平面図である。
【図１１】後面ビーム支持部材の例を示す斜視図である。
【図１２】本発明の構造部材により構成されたパネルシステムの構成例を示す斜視図である。
【図１３】本発明の構造部材により構成された連結机の構成例を示す平面図である。
【符号の説明】
１  脚体
１ａ  脚柱
１ｂ  横架ビーム
２  天板支持部材
２ａ  受けブロック
２ｂ  固定ブロック
３  位置決めプレート
３ａ  抜き穴
４  連結ビーム
５ａ  受けブロック２ａの鉤状係合片
５ｂ  固定ブロック２ｂの鉤状係合片
６ａ  横架ビーム１ｂの上部水平溝
６ｂ  横架ビーム１ｂの下部水平溝
７ａ  横架ビーム１ｂの上部水平溝６ａの下部に形成された下向き溝
７ｂ  横架ビーム１ｂの下部水平溝６ｂの上部に形成された上向き溝
９ａ，９ｂ  受けブロック２ａの連結ビーム支持部
１２  後面ビーム
１３  後面ビーム支持部材
１３ａ  後面ビーム支持ブロック
１３ｂ  固定ブロック
１４ａ  後面ビーム支持ブロック１３ａの鉤状係合片
１４ｂ  固定ブロック１３ｂの鉤状係合片
１０１  天板
１０２  机上パネル
【図１】
2004261310.tif 000003
【図２】
2004261310.tif 000004
【図３】
2004261310.tif 000005
【図４】
2004261310.tif 000006
【図５】
2004261310.tif 000007
【図６】
2004261310.tif 000008
【図７】
2004261310.tif 000009
【図８】
2004261310.tif 000010
【図９】
2004261310.tif 000011
【図１０】
2004261310.tif 000012
【図１１】
2004261310.tif 000013
【図１２】
2004261310.tif 000014
【図１３】
2004261310.tif 000015